(57)【要約】      （修正有）【課題】養生シートを接着剤やバルーンを用いないでコンクリートを養生し、養生の際に、シートとコンクリート面間にある散水ホースから間歇的に散水しながら、コンクリートのひび割れを防止するコンクリートの養生装置とその方法を提供すること。【解決手段】打設したコンクリートを薄厚のラップシートを備えた養生シート２で覆い、その間にある散水ホースで間歇的に散水をして、前記シート２の多数の凸部間を吸引することによって、前記シート２をコンクリート面に密着して養生を行うコンクリートの養生装置と養生方法を提供する。【選択図】図２
2010168804.tif 000002
【特許請求の範囲】
【請求項１】
打設したコンクリートに対する養生装置であって、該装置が、少なくとも一面側に多数の凸部を形成した養生シートと、該養生シートの長手方向の端部に設けた前記養生シートより薄厚のラップシートと、前記養生シートの幅方向の一端部には吸引口を設置した端末シート及びその先端にある薄厚のラップシートと、前記養生シートとコンクリート面間に配置した散水手段と、からなり、前記吸引口から吸引手段による吸引により前記コンクリート面と前記養生シートの多数の凸部周囲にある吸引通路間を負圧にして前記養生シートをコンクリート面に密着するとともに、前記散水手段からコンクリート面に間欠的に散水するようにしたコンクリートの養生装置。
【請求項２】
前記吸引手段が、吸引ポンプもしくは吸引ファンである請求項１に記載のコンクリートの養生装置。
【請求項３】
前記養生手段が、多数の凸部の内部を空洞もしくは中実にしたプラスチックシートである請求項１又は２に記載のコンクリートの養生装置。
【請求項４】
前記養生シートの幅方向の他端部に設けた先端シートに、前記吸引通路の圧力を計測する圧力計に通じる圧力チェック口を設置した請求項１乃至３のいずれかに記載のコンクリートの養生装置。
【請求項５】
打設したコンクリートを養生する方法であって、少なくとも一面側に多数の凸部を形成した養生シートの長手方向の端部にラップシートと、前記養生シートの幅方向の一端部に吸込口を設けた端末シート及びその先端にある薄厚のラップシートの多数枚と、前記養生シートとコンクリート面間に配置した散水手段とからなる養生装置を用いるものであり、
前記養生装置の一枚目を吸引手段によって前記コンクリートの付着面側への前記養生シートの多数の凸部周囲を吸引しながらトンネルの周方向の一端から他端に密着していく往路添着工程と、
前記往路添着工程で添着した一枚目の養生装置を前記吸引手段の吸引によりコンクリート面に密着保持しながら、前記一枚目の養生装置の他端から二枚目の養生装置を隣接して前記１枚目の工程とは逆方向から密着保持していく復路添着工程と、
前記後路添着工程には一枚目の養生シートに設けたラップシートを前記吸引手段により前記二枚目の養生シートの隣接部上方に密着する重合工程を含み、これらの工程を繰り返していく、
コンクリートの養生方法。
【請求項６】
前記吸引手段が、吸引ポンプもしくは吸引ファンのいずれかによるものである請求項５に記載のコンクリートの養生装置。
【請求項７】
前記養生シートの幅方向の他端部に設けた先端シートには圧力計に通じる圧力チェック口を設けることで、コンクリートと養生シート間との圧力を測定しながら、前記往路と復路の添着工程を進めていく請求項５又は６に記載のコンクリートの養生方法。
【請求項８】
前記往路添着工程でコンクリート面に被着する吸引手段の吸引力が、その添着後における密着保持の吸引力よりも大きいものとした。
請求項５乃至７のいずれかに記載のコンクリートの養生方法。
【発明の詳細な説明】
【技術分野】
【０００１】
本発明は、型枠解体後のコンクリートに対する養生装置と養生方法に関する。
【背景技術】
【０００２】
従来のコンクリートの養生装置と養生方法としては、有孔導水管を取り付けた不織布を空気チューブによりコンクリート面に当接して、そのコンクリート面を養生する装置が開示されている（特許文献１）。また、移動式架台上にアーチ状ガイドパイプを設けて、これを覆工コンクリート面との間に所定の間隔を隔てて、設置する養生方法や装置もある（特許文献２）。さらに、移動台車に搭載した養生バルーンを覆工コンクリート面に密着してコンクリートを養生する装置と方法も開示されている（特許文献３）。そして、複数のエアーセル内に空気よりも軽い、ヘリウムガスのような非可燃性ガスを充填して、これをトンネル壁面に沿うように設置しているものもある（特許文献４）。さらにまた、覆工コンクリートの表面に保温断熱および／または保湿機能を有する養生シートを湿潤接着剤で貼り付けるようにしたものもある（特許文献５）。
【先行技術文献】
【特許文献】
【０００３】
【特許文献１】特開平１０−１０２７７３号公報
【特許文献２】特開２０００−７３６９６号公報
【特許文献３】特開２００５−２９９３２３号公報
【特許文献４】特開２００７−２０５０５５号公報
【特許文献５】特開２００８−１５６９２７号公報
【発明の概要】
【発明が解決しようとする課題】
【０００４】
しかし、不織布である保水シートやその保水シートの背面を押さえる空気チユーブを必要とするほかに、各チユーブに空気を導入しなければならないといった手間がかかるという不都合があった（特許文献１）。また、移動式架台に設けたアーチ状ガイドパイプにシートを張り、覆工コンクリートとの間に超音波加湿器を設けなければならないという経費が掛かり、設備上の不都合があった(特許文献２)。さらに、養生バルーンを備えた移動台車を覆工コンクリート面に密着するものは、あまりに規模が大き過ぎるという欠点がある(特許文献３)。そして、連結した状態の複数のエアーセルを覆工コンクリートに覆うようにしたものもあるが、この各セル内に空気よりも軽いヘリウムガスを入れなければならないという操作上の問題がある(特許文献４)。さらにまた、保温断熱および／または保湿機能を有する養生シートに保湿接着剤を塗布するものは、特殊養生シートや保湿接着剤に、機能性材料や接着剤に高コストがかかった（特許文献５）。
そこで、本発明では、上記欠点を解消するために、使用する設備をコストの安価な従来品を使用するとともに、施工のうえでもコンクリート面からの装置の着脱を簡易にするものである。
【課題を解決するための手段】
【０００５】
本発明は、打設したコンクリートに対する養生装置であって、該装置が、少なくとも一面側に多数の凸部を形成した養生シートと、該養生シートの長手方向の端部に設けた前記養生シートより薄厚のラップシートと、前記養生シートの幅方向の一端部には吸引口を設置した端末シート及びその先端にある薄厚のラップシートと、前記養生シートとコンクリート面間に配置した散水手段と、からなり、前記吸引口から吸引手段による吸引により前記コンクリート面と前記養生シートの多数の凸部周囲にある吸引通路間を負圧にして前記養生シートをコンクリート面に密着するとともに、前記散水手段からコンクリート面に間欠的に散水するようにしたコンクリートの養生装置を提供するものである。
上記特徴により、本発明は多数の凸部を形成した養生シートを市販の凹凸、少なくても一面側に多数の凸部を有する緩衝シートを用い、これの長手方向に薄厚のラップシートを、また幅方向には端末シートと薄厚のラップシートをそれぞれ設けたものに、上記養生シートの凸部側とコンクリート面間に配置した散水ホースを加えたもので、養生装置を形成する。そして、このような簡易な装置を、吸引手段と散水手段により、養生シートをコンクリート面に密着し、間欠的な散水によりコンクリート面のひび割れを防止して養生するようにしたものである。
【０００６】
そして、上記吸引手段としては、ポンプもしくは吸引ファンを用いることができる。
また、上記多数の凸部の中は空気だけの空洞を有するもの（いわゆるエアークッション）が普通であるが、空洞内までプラスチックで一体成形したものを用いることもできる。
さらに、本発明では前記養生シートの幅方向の一端部の端末シートと反対側の他端部に、前記吸引通路から圧力計に通じる圧力チェック口を設置した先端シートを設けることもできる。
【０００７】
本発明のコンクリートの養生方法として、養生シート２の長手方向と幅方向の少なくとも一端に設けたラップシート７、７‘を、幅方向の一端部に吸引口４を設けた端末シート３をそれぞれ設けたものを用い、その１枚目をコンクリート面に当てて前記吸引口からポンプＦなどの吸引手段で養生シートとコンクリート面間の多数の凸部２１の周囲にある空気を吸引することで、前記ラップシート付き養生シートを散水手段を介してコンクリート面に添着する往路添着工程と、この添着を保持しながら２枚目の養生シートと１８０度反対側からこれに隣接してやはり空気を吸引しながらコンクリートに密着していく復路添着工程と、前記２枚目の養生シートの長手方向に設けたラップシート７を前記吸引手段により前記１枚目の養生装置の隣接部上面に密着する重合工程とを含むコンクリートの養生方法を特徴とする。
上記吸引手段の吸引ポンプもしくは吸引ファンで、１枚目のラップシート付きの養生シートの長手方向に隣接する養生シートの長手方向の一端部の表側に吸着する。
養生装置の中心部である養生シートの他端部の幅方向の先端シートに圧力チェック口６を設け、これに通じる圧力計Ｐにより養生シートとコンクリート面間の圧力を確認して１枚目と２枚目の養生シートとコンクリート間の圧力に注意しながら、次々と養生シートを吸引により貼り付けていく。
前記吸引力を既にコンクリート面に養生装置を添着・維持する力を、これから添着していく力より小さくすることで、吸引ポンプＦなど全体のエネルギーの節約を考慮した。
さらに、上記養生装置とコンクリートとの間に、乾燥によるコンクリート面のひび割れを防止するために、一週間に数回程度の散水を行うようにした。
【発明の効果】
【０００８】
本発明のコンクリートの養生装置とその養生方法は、一面又は両面に凸部２１を形成した養生シート２と、その長手方向にラップシート７および幅方向の一端部に吸引口４を設置した端末シート３、それに前記養生シート２とコンクリート１０面との間に配置した散水ホース８からなる養生装置と、それを使用する養生方法に要旨がある。即ち、吸引手段Ｆによる前記吸引口４からの吸引により、前記コンクリートに養生シートを添着しながら、その間を散水ホース８からの散水によりコンクリートの養生を行うようにしたもので、その設備の簡素化と設置方法の容易性に特徴がある。
【図面の簡単な説明】
【０００９】
【図１】本発明の一実施の形態として示すコンクリートの養生装置の全体概略図である。
【図２】本発明である養生装置の施工方法を示す説明図である、
【図３】本発明の養生シートの平面図である。
【図４】本発明のコンクリートの施工方法を示す設置手順の説明図である。
【図５】図４で設置し、養生後に撤去する手順の説明図である。
【図６】養生装置を示す全体図である。
【発明を実施するための形態】
【００１０】
少なくとも一面側に多数の凸部を形成した養生シートと、その長手方向と幅方向の両端部にあるラップシートと吸引口を設置した端末シート、及び前記養生シートを取り付けるコンクリート間にある散水ホースからなる養生装置を用い、前記養生シートの凸部側とコンクリート間を前記吸引口から別途設けた吸引手段の吸引によって負圧にして前記養生シートをコンクリート面に添着してコンクリートを養生するようにしたことが本発明の要旨である。
【実施例】
【００１１】
図１は、トンネルの上部半円形部分に養生シート２を添着した状態の概略説明図である。図３は、図１のハッチング部分と白色部分で分けられた４つの養生シート中の１つの平面図であり、その長手方向の一側部にラップシート７を、幅方向一端部にラップシート７′を有する吸引口４を設けた端末シート３と幅方向他端部にラップシート７’’を有する圧力計Ｐに連結する圧力チェック口６を設けた先端シート５を付設したものである。図２の下部は、トンネル内に養生シートを添着して行く状態の説明図で、その上部はコンクリート面に６枚の養生シートを添着したものの展開図である。図４は、養生装置の一端部から他端部に掛けてコンクリートに添着して行く設置手順の説明図である。図５は、養生後に養生装置を撤去する手順の説明図である。図６は、トンネル内のコンクリートに養生装置を添着した状態の概念図である。
【００１２】
図３に示すのは、散水装置８を除いた養生シート２の中間を省略した平面図を示すものであり、細長い塩化ビニール等プラスチックでできた市販のいわゆるエアークッションを用いた養生シート２を主要部とし、該養生シートの両端部には、より厚肉の塩化ビニールで強度の大きい端末シート３に、三方弁Ｖと風量計ａとを介して吸引手段としての吸引ポンプＦをパイプで連結し、養生シート２の他端部の先端シート５には圧力計Ｐに連結する圧力チェック口６を設け、さらに、養生シート２の両端部にはビニルシート等でできたラップフィルム等からなる薄厚のラップシート７’，７’’を設けている。
【００１３】
なお、養生シート２の断面は、図１の丸印の中に示すように、平坦なフイルム状のシート本体２２に断面蛇腹状の凸部２１を前後左右に規則的に多数設けたいわゆるエアークッション等である。
【００１４】
また、この養生シートとトンネル覆工コンクリート間の頂部軸方向に散水ホース８を設置している。
【００１５】
そして、この散水ホース８に、上記養生シート２の一端に吸引口４を有する端末シート３及びラップシート７’と、他端に圧力チェック口６を有する先端シート５及びラップシート７’’とが連設しているものを含めて養生装置が形成される。
【００１６】
吸引により養生シート２，端末シート５，及び各ラップシート７，７’，７’’を添着する吸引手段としては、バルブとしての三方弁Ｖと風力計Ｑとを介して吸引口４に連結管で通じる、吸引装置としての吸引ポンプ又は吸引ファンＦ等を選択して使用されることがある。また、上記三方弁Ｖは、吸引口４と風力計Ｑ間の連結管に二方向弁として用いることもある（図２の左右一番上のバルブＶがこれに当る）。
【００１７】
以下に、上記の発明装置を用いたコンクリート養生方法の説明をする。
まず、先端シート５を中心にして巻き取った１枚目を、端末シート３の側から巻き出して、コンクリート１０で覆工した半円形のトンネルの下端から上方、そして下方に向かって養生シートを添着して行く(図２の上部の一番上の図)。この時、養生シート２の覆工コンクリート１０面への添着は、端末シート３にある吸引口４から吸引ポンプＦの吸引により、養生シートの上面にある縦横に規則的に設けられた凸部２１間の隙間を負圧にすることによって行う (図１及び図２の下部参照)。
【００１８】
つぎに、上記１枚目の養生シート２を覆工コンクリート１０に添着した状態で、今度は、上記と同様に巻き取った２枚目の養生シート２を、前記装着した先端シート５に隣接してトンネルの下方から上方へ、そして下方へと吸引しながら巻き出し、前記同様の吸引により添着していき、２枚目の先端シートを１枚目の端末シートの横に沿わせる(図２の上部から二番目の図)。この場合の吸引装置へのバルブＶは二方向弁を使う。
【００１９】
吸引により添着する吸引手段としては、バルブＶとしての三方弁と風力計Ｑとを介して吸引口４に通じる、吸引装置Ｆとしての吸引ポンプ又は吸引ファンがある。また、上記三方弁は、図２の左右の一番上のバルブＶに見られるように、吸引口４からの連結管と風力計Ｑを挟んだ二方方向のみを用いたものと、図２の左右の上から二番目と三番目のように、上方からの三方弁からと吸引口４からの連結管、及び風力計Ｑへ行く三方に分れる三方向を用いるものがある。
【００２０】
上記したように１枚目、２枚目、そして３枚目と右から左、そして左から右へと養生シート２を吸引しながらトンネル内の覆工コンクリート１０面と、そのコンクリート頂部軸方向に沿わした散水ホース８の上から、交互に添着していく（図１）が、その吸引力は添着して行く側よりも張り付け終了後に添着を維持していく側の方の三方弁をやや締めることで、パワーを小さくして全体を省エネルギー化すると良い。
【００２１】
つぎに、上記方法を図４と図５を用いて説明すると、覆工コンクリートの打設後、その頂上面の軸方向にゴム管からなる多数の穴を有する散水ホース８をビニールテープで覆工コンクリート１０の面に結合しながらトンネル頂部の軸方向に延長していき、その上から上記した養生シート２を散水ホース８とはクロスしてポンプＦで吸引しながら添着していく。
これを図４の設置手順で説明すると、図の一番上はトンネルの内面に吹き付けコンクリート９を打っておき、その上から途中まで覆工コンクリート１０を巻き上げたものに、上記散水ホース８をコンクリートの頂部軸方向に這わせ、その上から半円形のトンネルの円周に沿って養生シート２を粘着テープ等で添着していく。この際、既に添着している養生シート２の長手方向片側に溶着等で一体に固定１１してあるラップシート７を隣接する養生シート２の片側面上に下ろすことで、吸引手段により隣り合う養生シート２，２間も隙間なく吸引されて、より堅固なコンクリート１０への添着を行うことができる。設置手順の図の真ん中のものは、既設の覆工コンクリート１０に隣接して新たな覆工コンクリート１０を打ち次いだ後から、各コンクリート間の隣接箇所に、前記ラップシート７を覆うようにしたものである。設置手順の図の一番下は、更に覆工コンクリート１０を打ち繋いだ間に養生シート２に添着したラップシート７を覆うようにしたものである。図６は、上記設置手順を完了した状態を示すものである。
【００２２】
なお、図５は、コンクリートの養生終了後に養生装置１を撤去する手順を示すものである。撤去手順の一番上は、撤去直前の状態を示すものである。真ん中の手順は、一番古く設置した養生装置を前記三方弁Ｖの吸引口４側を全部しめてからラップシートコンクリート面より外して行くが、その以前に隣りに重ね合わせた前記ラップシートを養生シートの固定側に重ねて剥ぎ取り易くしておく。設置手順の一番下では、トンネル内頂部に残った散水ホース８を巻き取って行き、これらのことを繰り返して養生を終了する。
【産業上の利用可能性】
【００２３】
上記実施例によれば、トンネル内のコンクリートで本発明の養生装置と方法を説明したが、コンクリートの養生はトンネルに限らず、橋梁や建物の躯体等にも利用される。
【符号の説明】
【００２４】
１      コンクリートの養生装置
２      養生シート
３      端末シート
４      吸引口
５      先端シート
７、７‘、７、’‘      散水シート
【図１】
2010168804.tif 000003
【図２】
2010168804.tif 000004
【図３】
2010168804.tif 000005
【図４】
2010168804.tif 000006
【図５】
2010168804.tif 000007
【図６】
2010168804.tif 000008
【手続補正書】
【提出日】平成22年2月16日(2010.2.16)
【手続補正１】
【補正対象書類名】明細書
【補正対象項目名】０００７
【補正方法】変更
【補正の内容】
【０００７】
本発明のコンクリートの養生方法として、養生シート２の長手方向と幅方向の少なくとも一端に設けたラップシート７、７’と、幅方向の一端部に吸引口４を設けた端末シート３をそれぞれ設けたものを用い、その１枚目をコンクリート面に当てて前記吸引口からポンプＦなどの吸引手段で養生シートとコンクリート面間の多数の凸部２１の周囲にある空気を吸引することで、前記ラップシート付き養生シートを散水手段を介してコンクリート面に添着する往路添着工程と、この添着を保持しながら２枚目の養生シートと１８０度反対側からこれに隣接してやはり空気を吸引しながらコンクリートに密着していく復路添着工程と、前記２枚目の養生シートの長手方向に設けたラップシート７を前記吸引手段により前記１枚目の養生装置の隣接部上面に密着する重合工程とを含むコンクリートの養生方法を特徴とする。
上記吸引手段の吸引ポンプもしくは吸引ファンで、１枚目のラップシート付きの養生シートの長手方向に隣接する養生シートの長手方向の一端部の表側に吸着する。
養生装置の中心部である養生シートの他端部の幅方向の先端シートに圧力チェック口６を設け、これに通じる圧力計Ｐにより養生シートとコンクリート面間の圧力を確認して１枚目と２枚目の養生シートとコンクリート間の圧力に注意しながら、次々と養生シートを吸引により貼り付けていく。
前記吸引力を既にコンクリート面に養生装置を添着・維持する力を、これから添着していく力より小さくすることで、吸引ポンプＦなど全体のエネルギーの節約を考慮した。
さらに、上記養生装置とコンクリートとの間に、乾燥によるコンクリート面のひび割れを防止するために、一週間に数回程度の散水を行うようにした。
【手続補正２】
【補正対象書類名】明細書
【補正対象項目名】００１２
【補正方法】変更
【補正の内容】
【００１２】
図３に示すのは、散水装置としての散水ホース８を除いた養生シート２の中間を省略した平面図を示すものであり、細長い塩化ビニール等プラスチックでできた市販のいわゆるエアークッションを用いた養生シート２を主要部とし、該養生シートの一端部には、より厚肉の塩化ビニールで強度の大きい端末シート３に、三方弁Ｖと風力計Ｑとを介して吸引手段としての吸引ポンプＦをパイプで連結し、養生シート２の他端部の先端シート５には圧力計Ｐに連結する圧力チェック口６を設け、さらに、養生シート２の両端部にはビニルシート等でできたラップフィルム等からなる薄厚のラップシート７’，７’’を設けている。
【手続補正３】
【補正対象書類名】明細書
【補正対象項目名】００１６
【補正方法】変更
【補正の内容】
【００１６】
吸引により養生シート２，端末シート３，及び各ラップシート７，７’，７’’を添着する吸引手段としては、バルブとしての三方弁Ｖと風力計Ｑとを介して吸引口４に連結管で通じる、吸引装置としての吸引ポンプ又は吸引ファンＦ等を選択して使用されることがある。また、上記三方弁Ｖは、吸引口４と風力計Ｑ間の連結管に二方向弁として用いることもある（図２の左右一番上のバルブＶがこれに当る）。
【手続補正４】
【補正対象書類名】明細書
【補正対象項目名】００１８
【補正方法】変更
【補正の内容】
【００１８】
つぎに、上記１枚目の養生シート２を覆工コンクリート１０に添着した状態で、今度は、上記と同様に巻き取った２枚目の養生シート２を、前記添着した養生シート２に隣接してトンネルの下方から上方へ、そして下方へと吸引しながら巻き出し、前記同様の吸引により添着していき、２枚目の先端シートを１枚目の端末シートの横に沿わせる(図２の上部から二番目の図)。この場合の吸引装置へのバルブＶは二方向弁を使う。
【手続補正５】
【補正対象書類名】明細書
【補正対象項目名】００１９
【補正方法】変更
【補正の内容】
【００１９】
吸引により添着する吸引手段としては、バルブＶとしての三方弁と風力計Ｑとを介して吸引口４に通じる、吸引装置Ｆとしての吸引ポンプ又は吸引ファンがある。また、上記三方弁は、図２の左右の一番上のバルブＶに見られるように、吸引口４からの連結管と風力計Ｑを挟んだ二方向のみを用いたものと、図２の左右の上から二番目と三番目のように、上方からの三方弁からと吸引口４からの連結管、及び風力計Ｑへ行く三方に分れる三方向を用いるものがある。
【手続補正６】
【補正対象書類名】明細書
【補正対象項目名】００２０
【補正方法】変更
【補正の内容】
【００２０】
上記したように１枚目、２枚目、そして３枚目と右から左、そして左から右へと養生シート２を吸引しながらトンネル内の覆工コンクリート１０面と、そのコンクリート頂部軸方向に沿わした散水ホース８の上から、交互に添着していく（図１）が、その吸引力は添着して行く側よりも張り付け終了後に添着を維持していく側の方の三方弁をやや締めて吸引力を弱めることで、パワーを小さくして全体を省エネルギー化すると良い。
【手続補正７】
【補正対象書類名】明細書
【補正対象項目名】００２２
【補正方法】変更
【補正の内容】
【００２２】
なお、図５は、コンクリートの養生終了後に養生装置１を撤去する手順を示すものである。撤去手順の一番上は、撤去直前の状態を示すものである。真ん中の手順は、一番古く設置した養生シート２を前記三方弁Ｖの吸引口４側を全部しめてからコンクリート面より外して行くが、それ以前に隣りに重ね合わせた前記ラップシートを養生シートの固定側に重ねて剥ぎ取り易くしておく。設置手順の一番下では、トンネル内頂部に残った散水ホース８を巻き取って行き、これらのことを繰り返して養生を終了する。
【手続補正８】
【補正対象書類名】明細書
【補正対象項目名】００２４
【補正方法】変更
【補正の内容】
【００２４】
１      コンクリートの養生装置
２      養生シート
３      端末シート
４      吸引口
５      先端シート
７、７’、７’’      散水シート
８      散水ホース
【手続補正９】
【補正対象書類名】特許請求の範囲
【補正対象項目名】全文
【補正方法】変更
【補正の内容】
【特許請求の範囲】
【請求項１】
打設したコンクリートに対する養生装置であって、該装置が、少なくとも一面側に多数の凸部を形成した養生シートと、該養生シートの長手方向の端部に設けた前記養生シートより薄厚のラップシートと、前記養生シートの幅方向の一端部には吸引口を設置した端末シート及びその先端にある薄厚のラップシートと、前記養生シートとコンクリート面間に配置した散水手段と、からなり、前記吸引口から吸引手段による吸引により前記コンクリート面と前記養生シートの多数の凸部周囲にある吸引通路間を負圧にして前記養生シートをコンクリート面に密着するとともに、前記散水手段からコンクリート面に間欠的に散水するようにしたコンクリートの養生装置。
【請求項２】
前記吸引手段が、吸引ポンプもしくは吸引ファンである請求項１に記載のコンクリートの養生装置。
【請求項３】
前記養生シートが、多数の凸部の内部を空洞もしくは中実にしたプラスチックシートである請求項１又は２に記載のコンクリートの養生装置。
【請求項４】
前記養生シートの幅方向の他端部に設けた先端シートに、前記吸引通路の圧力を計測する圧力計に通じる圧力チェック口を設置した請求項１乃至３のいずれかに記載のコンクリートの養生装置。
【請求項５】
打設したコンクリートを養生する方法であって、少なくとも一面側に多数の凸部を形成した養生シートの長手方向の端部に設けたラップシートと、前記養生シートの幅方向の一端部に吸込口を設けた端末シート及びその先端にある薄厚のラップシートとからなる多数枚の養生装置と、前記養生シートとコンクリート面間に配置した散水手段とからなる養生装置を用いるものであり、
前記養生装置の一枚目を吸引手段によって前記コンクリートの付着面側への前記養生シートの多数の凸部周囲を吸引しながらトンネルの周方向の一端から他端に密着していく往路添着工程と、
前記往路添着工程で添着した一枚目の養生装置を前記吸引手段の吸引によりコンクリート面に密着保持しながら、前記一枚目の養生装置の他端から二枚目の養生装置を隣接して前記１枚目の工程とは逆方向から密着保持していく復路添着工程と、
前記復路添着工程には一枚目の養生シートに設けたラップシートを前記吸引手段により前記二枚目の養生シートの隣接部上方に密着する重合工程を含み、これらの工程を繰り返していく、
コンクリートの養生方法。
【請求項６】
前記吸引手段が、吸引ポンプもしくは吸引ファンのいずれかによるものである請求項５に記載のコンクリートの養生方法。
【請求項７】
前記養生シートの幅方向の他端部に設けた先端シートには圧力計に通じる圧力チェック口を設けることで、コンクリートと養生シート間との圧力を測定しながら、前記往路と復路の添着工程を進めていく請求項５又は６に記載のコンクリートの養生方法。
【請求項８】
前記往路添着工程でコンクリート面に被着する吸引手段の吸引力が、その添着後における復路添着工程での密着保持の吸引力よりも大きいものとした請求項５乃至７のいずれかに記載のコンクリートの養生方法。
【手続補正１１】
【補正対象書類名】図面
【補正対象項目名】図５
【補正方法】変更
【補正の内容】
【図５】
2010168804.tif 000009